(57)【要約】【課題】  密閉度を高めつつ片手での開閉が容易な蓋付き容器を提供する。【解決手段】  （ａ）容器本体２に括れ部６を形成する。（ｂ）蓋４の下面に開口部３に遊嵌する円形凸部７を形成する。（ｃ）円形凸部７に凹溝９を刻設する。（ｄ）凹溝９は溝奥から下るテーパ９ａを有する。（ｅ）パッキン５は、中孔５ａ付きドーナツ板５ｂに小孔５ｃを穿設したものであり、円形凸部７に対しラッパ形に装着した状態で中孔５ａの内周縁が凹溝９のテーパ９ａで受けられるようになし、また蓋４を開口部３に嵌めた状態で開口部３の内周壁面３ａに密着する。（ｆ）蓋４は略凸レンズ形状であって開口部３の外周縁より若干外側に張出す大きさである。（ｇ）容器本体２と蓋４は、容器本体２に蓋４を被せた状態において、大人の手の親指〜薬指の指先を括れ部６に掛けて持上げたとき、同指の第一関節から先の腹側の部分が蓋４の外周縁の下面に掛かる大きさに設定する。【選択図】        図１
0003112561.tif 000002
【実用新案登録請求の範囲】
【請求項１】
陶磁製の容器本体と、その容器本体の開口部を塞ぐ陶磁製の蓋と、その蓋に取り付けるパッキンと、からなり、次の（ａ）〜（ｇ）の要件を具備する陶磁製蓋付き容器。
（ａ）容器本体の開口部外周に括れ部を形成する。
（ｂ）蓋の下面に容器本体の開口部に遊嵌する下向きの円形凸部を形成する。
（ｃ）前記円形凸部の下部外周にパッキン用の凹溝を刻設する。
（ｄ）凹溝は溝奥から下方に向けて下り勾配となるテーパを設ける。
（ｅ）前記パッキンは、弾性円板の中心に中孔を穿設したドーナツ板に通気用の小孔を穿設したものであり、前記蓋の円形凸部に対し中孔を拡張させることにより上広がりのラッパ形に変形させて装着した状態で中孔の内周縁が前記凹溝のテーパで受けられるようになし、また、蓋を容器本体の開口部に嵌めた状態で前記ラッパ形が窄まって開口部の内周壁面に密着する。
（ｆ）蓋は、下面が平らな略凸レンズ形状であって外周縁が容器本体の開口部の外周縁より若干外側に張り出す大きさである。
（ｇ）容器本体と蓋は、容器本体に蓋を被せた状態において、標準的な大人の手の少なくとも親指乃至薬指の指先を容器本体の前記括れ部に掛けて持ち上げたとき、同指の第一関節から先の腹側の部分が蓋の外周縁の下面に掛かる大きさに設定する。
【請求項２】
前記蓋は、円形凸部に下向きに開口する凹部を形成して逆さカップ状にすると共に輪状になった底面を無釉にして焼成用の接地部とし、また、蓋の頂部を平らか又は僅かにへこませてなることを特徴とする請求項１記載の陶磁製蓋付き容器。
【請求項３】
蓋の外径が８５ｍｍ〜１００ｍｍであることを特徴とする請求項１又は２記載の陶磁製蓋付き容器。
【考案の詳細な説明】
【技術分野】
【０００１】
本考案は、陶器又は磁器製の蓋付き容器に関する。
【背景技術】
【０００２】
陶器製の蓋付き容器が、例えば特許文献１に開示されている。この蓋付き容器は、容器本体と蓋の間にパッキンを介在させて密閉度を高め、また、陶器同士の不愉快な接触音を防止するようにしたものである。
【特許文献１】実用新案登録第３０７５８５３号公報
【考案の開示】
【考案が解決しようとする課題】
【０００３】
上記従来の蓋付き容器は、蓋側にパッキンを装着し、容器本体とパッキンと蓋が上下方向に積み重なるようになっている。従って、蓋の密閉度が比較的低い。
これに対し本考案者は、蓋の下面に円形凸部を突設してそれを容器本体の開口部に遊嵌させ、さらに円形凸部と開口部の隙間にパッキンを挟むようにして密閉度を高めるように工夫した。
その結果、蓋の密閉度が飛躍的に向上したものの、蓋の取り外しに加わる抵抗が大きくなり、片手での蓋の開閉が困難になる問題が発生した。
【０００４】
本考案は上記に鑑みなされたもので、その目的は蓋の密閉度を高めつつ片手での開閉が容易な蓋付き容器を提供することにある。
【課題を解決するための手段】
【０００５】
陶磁製の容器本体と、その容器本体の開口部を塞ぐ陶磁製の蓋と、その蓋に取り付けるパッキンと、からなり、次の（ａ）〜（ｇ）の要件を具備する陶磁製蓋付き容器を提供する。
（ａ）容器本体の開口部外周に括れ部を形成する。
（ｂ）蓋の下面に容器本体の開口部に遊嵌する下向きの円形凸部を形成する。
（ｃ）前記円形凸部の下部外周にパッキン用の凹溝を刻設する。
（ｄ）凹溝は溝奥から下方に向けて下り勾配となるテーパを設ける。
（ｅ）前記パッキンは、弾性円板の中心に中孔を穿設したドーナツ板に通気用の小孔を穿設したものであり、前記蓋の円形凸部に対し中孔を拡張させることにより上広がりのラッパ形に変形させて装着した状態で中孔の内周縁が前記凹溝のテーパで受けられるようになし、また、蓋を容器本体の開口部に嵌めた状態で前記ラッパ形が窄まって開口部の内周壁面に密着する。
（ｆ）蓋は、下面が平らな略凸レンズ形状であって外周縁が容器本体の開口部の外周縁より若干外側に張り出す大きさである。
（ｇ）容器本体と蓋は、容器本体に蓋を被せた状態において、標準的な大人の手の少なくとも親指乃至薬指の指先を容器本体の前記括れ部に掛けて持ち上げたとき、同指の第一関節から先の腹側の部分が蓋の外周縁の下面に掛かる大きさに設定する。
【０００６】
また、請求項２に記載したように、前記蓋は、円形凸部に下向きに開口する凹部を形成して逆さカップ状にすると共に輪状になった底面を無釉にして焼成用の接地部とし、また、蓋の頂部を平らか又は僅かにへこませてなる請求項１記載の陶磁製蓋付き容器を提供する。
【０００７】
また、請求項３に記載したように、蓋の外径が８５ｍｍ〜１００ｍｍである請求項１又は２記載の陶磁製蓋付き容器を提供する。
【考案の効果】
【０００８】
本考案の蓋付き容器は、ラッパ形に変形したパッキンが蓋の円形凸部に筒状であるかのごとく巻き付いて容器本体の開口部と蓋の円形凸部の隙間を埋めるため、高い密閉度が得られる。
一方、本考案の容器本体と蓋は、容器本体に蓋を被せた状態において、標準的な大人の手の少なくとも親指乃至薬指の指先を容器本体の前記括れ部に掛けて持ち上げたとき、同指の第一関節から先の腹側の部分が蓋の外周縁の下面に掛かる大きさに設定されているため、例えば図５に示したように、片手全部の指先を容器本体の括れ部に掛け、その状態で親指を支点にして人差し指を引き上げると、容器本体の開口部の外周縁より若干外側に張り出している蓋の外周縁に人差し指の腹が掛かって蓋の縁が浮き上がるから、片手のみで簡単に蓋を外すことができる。なお、蓋が、下面が平らな略凸レンズ形状であると、縁に向かって緩やかに傾斜し外周縁の厚みが薄いという形態的特徴が指の腹に掛かりやすくなるという作用につながるため、上記した片手による蓋の開放動作に大きく貢献する。
【０００９】
また、請求項２のように、蓋の頂部を平らか又は僅かにへこませるようにすれば、陶磁製蓋付き容器の蓋の上にさらに陶磁製蓋付き容器を積み重ねることが可能であり、しかも蓋の円形凸部の底面を接地させて焼成すれば、焼成過程に生ずる軟化現象により、逆さカップの底に対応する円形凸部の中心が僅かに下がるため、蓋の頂部を平らか又は僅かにへこませる加工が容易である。
【考案を実施するための最良の形態】
【００１０】
以下に本考案の実施の形態を図面を参照しつつ説明する。なお、図１は縦断面図、図２は斜視図、図３は蓋を外した状態を示す縦断面図、図４はパッキンの斜視図、図５は蓋を開く状態を示す正面図である。
【００１１】
本考案の陶磁製蓋付き容器１は、陶器又は磁器製の容器本体２と、その容器本体２の開口部３を塞ぐ陶器又は磁器製の蓋４と、その蓋４に取り付けるパッキン５と、からなる。
【００１２】
前記容器本体２は、開口部３の外周に括れ部６を有する壺形であり、開口部３の内周壁面３ａが垂直か又は僅かに上窄まりのテーパになっている。
【００１３】
前記蓋４は、下面が平らな略凸レンズ形状であって、外周縁が容器本体２の開口部３の外周縁より若干外側に張り出す大きさであり、また、平らな下面に容器本体２の開口部３に遊嵌する下向きの円形凸部７が設けてある。この円形凸部７には、下向きに開口する凹部８が形成されていて逆さカップ状であり、輪状になった底面７ａが無釉の接地部となる。さらにまた、円形凸部７の下部外周には、溝奥から下方に向けて下り勾配となるテーパ９ａを設けた凹溝９が刻設されている。
【００１４】
前記パッキン５は、図４に示したように、弾性円板に中孔５ａを穿設してなるドーナツ板５ｂに通気用の小孔５ｃ，５ｃを穿設したものであり、図３に示したように、蓋４の円形凸部７に中孔５ａを拡張させて装着することにより上広がりのラッパ形に変形し、さらに中孔５ａの内周縁が前記凹溝９のテーパ９ａに受け止められるようになっている。
【００１５】
容器本体２と蓋４は、容器本体２に蓋４を被せた状態において、図５に示したように標準的な大人の手１０の少なくとも親指１０ａ乃至薬指１０ｄの指先を容器本体２の前記括れ部６に掛けて持ち上げたとき、同指１０ａ〜１０ｄの第一関節から先の腹側の部分が蓋４の外周縁の下面に掛かる大きさに設定する。具体的な蓋４の外径は、８５ｍｍ〜１００ｍｍであり、容器本体２の開口部３の直径は、それより２ｍｍ〜１０ｍｍ程度小さくする。
【００１６】
本考案の陶磁製蓋付き容器１は以上のように構成されているため、容器本体２に蓋４を被せた状態で、図１に示したようにラッパ形に変形したパッキン５が蓋４の円形凸部７に筒状であるかのごとく巻き付いて容器本体２の開口部３と蓋４の円形凸部７の隙間Ｓを埋める。従って高い密閉度が得られる。
【００１７】
次に容器本体２から蓋４を外す場合は、例えば図５に示したように小指１０ｅを含む片手１０全部の指先を容器本体２の括れ部６に掛け、その状態で親指１０ａを支点にして人差し指１０ｂを引き上げる。そうすると容器本体２の開口部３の外周縁より若干外側に張り出している蓋４の外周縁に人差し指１０ｂの腹が掛かって蓋４の縁が浮き上がるから、片手１０で簡単に蓋４を外すことができる。なお、このとき中指１０ｃ乃至小指１０ｅは実質的に添えている程度であり、特に小指１０ｅは容器本体２から離れていても全く問題ない。
一方、容器本体２に蓋４を被せる場合は、容器本体２の開口部３に蓋４を載せ、手の平全体で押し込むのみでよい。
【００１８】
以上本考案を実施の形態について説明したが、もちろん本考案は上記実施形態に限定されるものではない。例えば、実施形態では蓋４の頂部を平らにしたが、頂部の中央部を僅かにへこませるようにしてもよい。そのいずれであっても蓋４の上にもう１個の陶磁製蓋付き容器１を安定的に重ねることができる。なお、そのような複数個の積み重ねを必要としない場合には蓋４の頂部が凸レンズのごとく緩やかにふくらんでいてもよい。
【図面の簡単な説明】
【００１９】
【図１】縦断面図である。
【図２】斜視図である。
【図３】蓋を外した状態を示す縦断面図である。
【図４】パッキンの斜視図である。
【図５】蓋を開く状態を示す正面図である。
【符号の説明】
【００２０】
１  …陶磁製蓋付き容器
２  …容器本体
３  …開口部
３ａ…内周壁面
４  …蓋
５  …パッキン
５ａ…中孔
５ｂ…ドーナツ板
５ｃ…小孔
６  …括れ部
７  …円形凸部
７ａ…底面
８  …凹部
９  …凹溝
９ａ…テーパ
１０…手
１０ａ…親指
１０ｂ…人差し指
１０ｃ…中指
１０ｄ…薬指
【図１】
0003112561.tif 000003
【図２】
0003112561.tif 000004
【図３】
0003112561.tif 000005
【図４】
0003112561.tif 000006
【図５】
0003112561.tif 000007